(57)【特許請求の範囲】
【請求項１】
ホログラム、または、回折格子の中に組み込まれた隠し情報であって、
前記隠し情報は、前記ホログラム又は回折格子の中に形成された高さ３００μｍ以下の微細な文字，記号の中に、高さ５０μｍ以下の大きさの文字，記号の何れか、または、これらの組み合わせによって形成されたことを特徴とする凹凸構造による隠し情報。
【請求項２】
請求項１に記載の凹凸構造による隠し情報において、
隠し情報は、高さ３００μｍ以下の微細な文字，記号の中に、前記文字，記号と同一パターンで形成されたことを特徴とする凹凸構造による隠し情報。
【発明の詳細な説明】
【技術分野】
【０００１】
本発明は、主にセキュリティ用途に使用される凹凸構造に関し、詳しくは、ホログラムや回折格子など、セキュリティ用途で使用される各種絵柄の中に、目視では確認困難な情報として組み込まれた凹凸構造による隠し情報に関する。
【背景技術】
【０００２】
近年、カラーコピー機による金券類の偽造事件が頻発している。
そのために、高額紙幣や商品券等の金券類は、デザインの一部にカラーコピー機のセンサーでは読み取ることができない小さな網点や細線を、同じ反射濃度でデザインされた絵柄の中に組み込んでいる。その結果、これらの高額紙幣や商品券をカラーコピー機によって複写しようとすると、コピー機のスキャナーが小さな網点や細線を読み落とし、その部分が白く抜けることでコピー品であると判別している。
【０００３】
また、高度な複製技術を必要とするホログラムが、一部の高額紙幣や、その他の金券類に採用されている。
ホログラムは、また、その凹凸面に金属の反射層を形成することにより、ホログラムをコピーした時にホログラム形成部を黒に再現するため、コピー牽制手段として利用されている。
しかしながら、技術の進歩によって、ホログラムに近似の偽造品が出現するようになってきた。そして、このような偽造品をチェックするために、ホログラムの光回折構造の中に判別困難な隠し情報を組み込んで真偽判別の手段として使用する技術が開示されている。ところがこれらの技術を使用した製品も、見る角度によって隠し情報が微かに判別されてしまうという課題があった。
このような課題に対して、目視手段による判別が極めて困難な隠し情報及びその作製方法が提供されている（例えば、特許文献１参照）。
特許文献１で開示されている技術は、回折格子により形成された全体領域が判別可能な複数の部分領域に分割され、前記部分領域の中の、少なくとも1個の領域が判別不可能な２つの情報で構成され、前記２つの情報をそれぞれが互いに平行に配列された微細な縞で構成するものである。
【０００４】
【特許文献１】特開２００３−３４４６３３号公報
【発明の開示】
【発明が解決しようとする課題】
【０００５】
特許文献１に開示されている技術は、縞によって構成された隠し情報を周囲にまぎれて判別できないように角度を変えて組み込む技術で、真偽の判別は、万線による判別具によって判別している。
したがって、近似の判別具が入手できれば、どのような隠し情報が埋め込まれているか判ってしまうという欠点があった。
【課題を解決するための手段】
【０００６】
前記課題を解決するために、本発明の凹凸構造による隠し情報の請求項１に記載の発明は、ホログラム、または、回折格子の中に組み込まれた隠し情報であって、前記隠し情報は、前記ホログラム又は回折格子の中に形成された高さ３００μｍ以下の微細な文字，記号の中に、高さ５０μｍ以下の大きさの文字，記号の何れか、または、これらの組み合わせによって形成されたことを特徴とするものである。
【０００８】
また、請求項２に記載の発明は、請求項１に記載の発明において、隠し情報は、高さ３００μｍ以下の微細な文字，記号の中に、前記文字，記号と同一パターンで形成されたことを特徴とするものである。
【発明の効果】
【０００９】
１）請求項１に記載のように、ホログラム、または、回折格子の中に組み込まれた隠し情報であって、前記隠し情報は、前記ホログラム又は回折格子の中に形成された高さ３００μｍ以下の微細な文字，記号の中に、高さ５０μｍ以下の大きさの文字，記号の何れか、または、これらの組み合わせによって形成されたことによって、偽造者に高い技術的ハードルが課されるとともに、技術自体の解析が困難になるため、高い偽造検証手段として使用できる。
また、目視ではホログラム等で図柄の真偽を容易に確認でき、また、顕微鏡などを使用することによって高さ５０μｍ以下の凹凸構造による隠し情報を確認することができる。また、不正を企てる者に対して、ルーペ等で確認できる３００μｍ以下の情報が偽造検証手段だと思い込ませることができる。
２）また、請求項２に記載のように、請求項１に記載の発明において、隠し情報は、高さ３００μｍ以下の微細な文字，記号の中に、前記文字，記号と同一パターンで形成されたことによって、５０μｍ以下の隠し情報を検証する際に、組み込まれている外側の情報と対比できるために、検証手順が判りやすく、検証作業が容易となる。
【発明を実施するための最良の形態】
【００１０】
以下、図面を参照して、本発明の凹凸構造による隠し情報について説明する。
図１は、本発明の凹凸構造による隠し情報の一例について説明するための図，図２は、図１の文字の一部に組み込まれた隠し情報の一例について説明するための図，図３は、図柄の一部に組み込まれた隠し情報の一例について説明するための図，図４は、図３の文字の一部に組み込まれた隠し情報の一例について説明するための図，図５は、隠し情報の一例について説明するための図，図６は、図５のＡ−Ａ線断面について説明するための図，である。
【００１１】
図１を参照して、本発明の凹凸構造による隠し情報の一例について説明する。
図１のホログラムや、回折格子などの光回折構造（以下、単にホログラムという）１は、２次元画像、または、３次元画像を再生可能な凹凸構造により形成したものである。
偽造検証手段などに使用されるホログラムとしては、物体光と参照光との光の干渉による干渉縞で表現された３次元画像のレリーフホログラムや、２次元画像による回折格子が多く使用されるが、その他に、白色光再生ホログラムであるレインボーホログラム，カラーホログラム，電子線等を用いて機械的に画像を描写する計算機ホログラム、さらに、これらのホログラムに文字，図形，記号等を結合させて作製される合成ホログラム等が使用される。
【００１２】
ホログラムは、転写形態で使用する場合は、耐熱性を有する基材フィルム上に剥離層を形成し、その上に、例えば、熱硬化性の樹脂層を形成し、熱硬化性の樹脂層に凹凸構造を形成し、反射層を形成し、その上に感熱接着剤層を形成して転写用フィルムと成し、熱せられた金属の型等によって、接着剤層を含めた極めて薄い樹脂層を紙などの印刷物上に転写して使用する。
ホログラムをラベル形態で使用する場合は、基材フィルム上に熱硬化性の樹脂層を形成し、熱硬化性の樹脂層に凹凸構造を形成し、凹凸構造の上に反射層を形成し、その上に粘着剤層を形成し、粘着剤面を剥離紙で被覆して、基材フィルムを剥離紙と一緒に所定の大きさに打ち抜いてラベルとし、剥離紙を剥がして対象物に貼付して使用する。
【００１３】
反射層は、前述のホログラム形成層の凹凸面に反射性を与えるために設けられる。
反射層には、不透明な反射層と、透明性を有する透明反射層とがあるが、本発明のように真偽判別手段や、真偽検証手段として使用する場合は、コピー牽制要素を組み入れて、アルミニウムや、ニッケルなどの金属による不透明な反射層を形成する。
反射層を形成する方法としては、真空蒸着法，スパッタリング法，イオンブレーティング法等があり、目的によって使い分ける。
また、剥離層，熱硬化性樹脂層，接着剤層，粘着剤層等の形成手段として、グラビアコート法，ダイコート法，ナイフコート法，ロールコート法等の一般的なコーティング方法及びシルクスクリーン等の印刷方法の中から選択して使用する。
【００１４】
図１において、ホログラム１は、文字による図柄１０の部分と、図柄部分（図示せず）で構成されている。
「ＡＢＣ」の文字による図柄は、例えば、背景に対して浮き上がって見えるように組み込まれ、その周囲の楕円形のリング部（図示せず）は、正面から観察したときに所定の色になるように、回折構造を形成する縞の角度を一定の角度に設定してある。
文字による図柄「ＡＢＣ」の「Ａ」の一部１０４には、凹凸構造による隠し情報が組み込まれている。
図柄の一部２０には、凹凸構造よる微細文字、および、凹凸構造による隠し情報が組み込まれている。
【００１５】
図２を参照して、図１の文字の一部に組み込まれた隠し情報の一例について説明する。
図の「ＡＢＣ」の「Ａ」の一部、即ち文字による図柄の一部１０４には、隠し情報１０４０が組み込まれている。
凹凸構造による隠し情報１０４０は、高さＨ１が５０μｍ以下にデザインされた３個の星のマークで構成されている。
高さＨ１が５０μｍ以下にデザインされた３個の星のマークは、文字による図柄「ＡＢＣ」の「Ａ」の一部１０４に限定されることなく、どの文字、または、図柄の中に形成されていても良い。また、星のマークではなく「Ａ」の文字でも良い。また個数は、３個に限定されるものでもなく、また、「Ａ」の文字の縁部分に形成されても良い。
【００１６】
図３を参照して、図１の図柄の一部に組み込まれた隠し情報の一例について説明する。
図柄のリング部、即ち、図柄の一部２０には、裸眼では視認できないが、レンズで拡大すると視認できる大きさの微細文字「ＳＥＣＵＲＩＴＹ」がホログラム等の図柄の背景に組み込まれている。
微細文字「ＳＥＣＵＲＩＴＹ」の文字の高さＨ２は、３００μｍ以下にデザインされており、少なくとも「ＳＥＣＵＲＩＴＹ」の「Ｙ」の一部、即ち、微細文字の一部２０８には、凹凸構造による隠し情報が組み込まれている。
【００１７】
図４を参照して、図３の微細文字の一部に組み込まれた隠し情報の一例について説明する。
微細文字「Ｙ」の一部２０８には、凹凸構造による隠し情報２０８０が組み込まれている。
隠し情報２０８０は、高さが５０μｍ以下にデザインされた「Ｙ」の文字８個で構成されている。
高さが５０μｍ以下にデザインされた隠し情報「Ｙ」２０８０は、微細文字「Ｙ」の一部２０８に限定されることなく、「ＳＥＣＵＲＩＴＹ」の、全ての微細文字の中に形成されていても良い。また、８個の文字集団に限定されることなく１個であっても良い。
また、隠し情報２０８０は、微細文字の縁の部分に形成されても良い。
上記では、微細文字（隠し情報）のサイズを、微細文字を構成する高さを示す数値で表現したが、微小単位の大きさは、例えば、微細文字の形状が正方形であれば一辺の長さ、長方形であれば長辺の長さ、円であれば直径等で表す。
【００１８】
図５を参照して、隠し情報の一例について説明する。
図５は、図４の微細文字の一部２０８を拡大した図である。
前述のように、隠し情報２０８０は、文字（図示しないが、記号，図柄についても同様である）の高さＨ３を、最大５０μｍに限定している。
隠し情報の高さＨ３を最大５０μｍに限定している理由は、肉眼ではもちろんのこと、市販の拡大鏡（レンズ）を使用しても視認できない大きであるからである。隠し情報である文字２０８０は、微細文字の内側に凹凸構造によって形成されている。
【００１９】
図６を参照して、図５のＡ−Ａ線断面について説明する。
図６のａ図に示す例は、隠し情報を構成する文字が、背景部に対して凸状になるように形成された例である。また、図６のｂ図に示す例は、隠し情報を構成する文字が、背景部に対して凹状になるように形成された例である。
隠し情報が、図５に示すように、微細文字，記号，図柄の中に形成される場合は、隠し情報，微細文字等は文字の表面が平坦な構造で形成される。
隠し情報２０８０を構成する文字の凹凸の高さ（または、深さ）は、０．０５〜０．２５μｍの間で設定し、形成する。
【００２０】
（実施例）
薄く金属を蒸着したガラス板の１カット面に対して平行に、事前に作成した回折格子による図柄パターン中に電子ビームを照射し、微細文字「Ｙ」を高さ２５０μｍになるように形成した。
さらに、微細文字「Ｙ」の内側に、隠し情報である「Ｙ」の文字を３個、横方向に等間隔で並べ、それぞれの文字が高さ４０μｍになるように形成し、原版を作製した。
ベースフィルム（２５μｍの厚さのポリエステルフィルム）上に熱によって剥離するワックス系の剥離材を塗布し、その上に透明なアクリル製の樹脂を塗布し、樹脂の表面に前述の原版で凹凸を再生し、透明樹脂の表面に真空蒸着法によりアルミニウムの薄幕を形成し、その上に感熱接着剤を塗布して転写用ホログラムの試作品を作製した。
上質紙のギフト券のサンプル上に、前記転写用ホログラム層を摂氏１６０度に加熱した金属板によって熱転写した。
ギフト券のデザインが正しく見える位置で、転写されたホログラム部を観察したが、「Ｙ」の微細文字は、肉眼では視認することができなかった。
市販の「１０倍のレンズ」によってホログラム部を観察した結果、「Ｙ」の微細文字列を視認することができたが、隠し情報は確認することはできなかった。
さらに、５０倍の顕微鏡によって微細文字部を観察した結果、隠し情報である３個の「Ｙ」の文字を確認することができた。
【産業上の利用可能性】
【００２１】
紙幣，商品券，入場券，ギフト券，手形，小切手，カード，証明書，保証書等に貼付、または、熱転写され、真偽判別手段，真偽判別手段として利用できる。
【図面の簡単な説明】
【００２２】
【図１】本発明の凹凸構造による隠し情報の一例について説明するための図である。
【図２】図１の文字の一部に組み込まれた隠し情報の一例について説明するための図である。
【図３】図１の図柄の一部に組み込まれた隠し情報の一例について説明するための図である。
【図４】図３の文字の一部に組み込まれた隠し情報の一例について説明するための図である。
【図５】隠し情報の一例について説明するための図である。
【図６】図５のＡ−Ａ線断面について説明するための図である。
【符号の説明】
【００２３】
１      ホログラム、または、回折格子
１０    文字による図柄
２０    図柄の一部
１０４  文字による図柄の一部
２０８  微細文字の一部
１０４０，２０８０  隠し情報
【図１】
0004831321.tif 000002
【図２】
0004831321.tif 000003
【図３】
0004831321.tif 000004
【図４】
0004831321.tif 000005
【図５】
0004831321.tif 000006
【図６】
0004831321.tif 000007